(57)【要約】マルチモードイオン源（１００）はエレクトロスプレープローブ（１１０）およびコロナ放電（１２０）を含む。
2005528746.tif 000002
【特許請求の範囲】
【請求項１】
イオン経路を画定するイオンチャンバと、
エレクトロスプレーイオン化法を用いてサンプルをイオン化するエレクトロスプレープローブと、
大気圧化学イオン化法を用いてサンプルをイオン化するコロナ放電ニードルと、
前記エレクトロスプレープローブおよび前記コロナ放電ニードルの内の１つに電位を供給する電源と、
電源からの電位を、エレクトロスプレープローブおよび前記コロナ放電ニードルの内の１つに導く固体スイッチと、を備えている質量分析計用のイオン源。
【請求項２】
前記エレクトロスプレープローブが出口端にノズルを形成する毛細管を備えている、
請求項１に記載のイオン源。
【請求項３】
前記エレクトロスプレープローブにサンプルを送り出すサンプル源をさらに備えている、請求項１に記載のイオン源。
【請求項４】
前記エレクトロスプレープローブに霧状ガスを送り出す噴霧源をさらに備えている、請求項１に記載のイオン源。
【請求項５】
前記エレクトロスプレープローブおよび前記コロナ放電ニードルを囲む大気圧領域を画定するイオン源チャンバをさらに備えている、請求項１に記載のイオン源。
【請求項６】
容積で５３インチの大きさの囲い込みを画定しているイオン源チャンバをさらに備えている、請求項１に記載のイオン源。
【請求項７】
イオン化動作に寄与する囲い込み形状および外形を画定しているイオン源チャンバをさらに備えている、請求項１に記載のイオン源。
【請求項８】
約６０から７０℃の温度でサンプルのイオン化を可能にするように構成されたイオン源チャンバをさらに備えている、請求項１に記載のイオン源。
【請求項９】
前記固体スイッチが電界効果トランジスタを備えている、請求項１に記載のイオン源。
【請求項１０】
質量分析計による分析のためにサンプルをイオン化する方法であって、
サンプルをプローブに誘導し、
第１イオン化モードを用いてサンプルをイオン化し、
第２イオン化モードに切換え、
第２イオン化モードを用いてサンプルをイオン化する、方法であり、
切換えステップが１秒未満の継続時間を有する、イオン化方法。
【請求項１１】
サンプルが化合物のライブラリである、請求項１０に記載のイオン化方法。
【請求項１２】
イオン化モードが光イオン化である、請求項１０に記載のイオン化方法。
【請求項１３】
マルチモードイオン源を用いてサンプルをイオン化するシステムにおいて、イオン化方法が、
マルチモードイオン源に関連する情報を取得するステップと、
マルチモードイオン源に関連する前記情報に基づいてサンプルをイオン化するステップとのステップをコンピュータで実行することを含む、イオン化方法。
【請求項１４】
固体スイッチを用いて、第１イオン化モードと第２イオン化モードを切り替えるステップをさらに含む、請求項１３に記載のイオン化方法。
【請求項１５】
スイッチが電界効果トランジスタである、請求項１３に記載のイオン化方法。
【請求項１６】
サンプルが化合物のライブラリである、請求項１３に記載のイオン化方法。
【請求項１７】
コンピュータを利用して、マルチモードイオン源を用いてサンプルをイオン化するシステムであって、
複数のイオン化モードを用いてサンプルをイオン化する、マルチモードイオン源と、
マルチモードイオン源に関連する情報を表示するインタフェースと、を備えている、イオン化システム。
【請求項１８】
サンプルが化合物のライブラリである、請求項１７に記載のイオン化方法。
【請求項１９】
ユーザが、複数の異なるイオン化モードを用いて質量分析計で分析するサンプルをイオン化できる、コンピュータ読取り可能な媒体であって、
グラフィックユーザインタフェースに入力された情報に応答して、マルチモードイオン源を作動させる命令を備えている、コンピュータ読取り可能媒体。
【発明の詳細な説明】
【技術分野】
【０００１】
（関連出願）
本出願は、２００２年５月３１日出願の米国特許仮出願番号第６０／３８５，４１９号の発明の名称「質量分析計用の高速組合せマルチモード化学イオン源（Ａ  Ｈｉｇｈ  Ｓｐｅｅｄ  Ｃｏｍｂｉｎａｔｉｏｎ  Ｍｕｌｔｉ−Ｍｏｄｅ  Ｃｈｅｍｉｃａｌ  Ｉｏｎｉｚａｔｉｏｎ  Ｓｏｕｒｃｅ  ｆｏｒ  Ｍａｓｓ  Ｓｐｅｃｔｒｏｍｅｔｅｒｓ）」を基礎として優先権を主張するものであり、前記仮出願の全内容は参照により本明細書に引用したものとする。
【０００２】
本発明は一般に、例えば、分子分析に用いるエレクトロスプレー（ＥＳＩ）、大気圧化学イオン化（ＡＰＣＩ）、およびサーモスプレーにより生成されるイオン化モードを組み合わせることに関する。詳細には、本発明は、既存の質量分析計と接続できる、ＡＰＣＩおよびＥＳＩを組み合わせる新規のイオン源の創案、ならびに、本発明のイオン源を用いる新規の質量分析計の創案に関する。本発明の有益な適用例は、薬剤、有機中間体の高速で高精度なサンプル特性決定の創案、ならびに、複合化学および高速処理の生物学的スクリーニングから作成されるサンプルライブラリの生成を含む。
【背景技術】
【０００３】
質量分析法は、物質および物質の混合物の定性および定量化学分析に用いられる分析方法である。分析物、すなわち通常は有機、無機、生体分子または生物サンプルは、イオン源内で分析物の構成成分の帯電粒子に分解される。次に、分析物粒子は質量分析計（ｓｐｅｃｔｒｏｍｅｔｅｒ）により、それぞれの質量対電荷比に基づいて分離される。次に、分離された粒子は検出され、物質の質量スペクトルが生成される。質量スペクトルは、サンプルを構成しているさまざまな分析物イオンの質量および量に関する情報を提供することによって分析される、サンプル材料の指紋（ｆｉｎｇｅｒｐｒｉｎｔ）に類似する。例えば、質量分析法を用いて、分析物中の分子および分子フラグメントの分子量を決定する。さらに、質量分析法を用いて、分析物が粒子に分解されるときに発生する、フラグメントパターンに基づいて分析物の分子構造、下部構造および成分を特定する。質量分析法は、化学、生物学、材料科学、および多くの関連分野における有効な分析ツールである。
【０００４】
高感度、高分解能、高精度、および効率的なサンプル利用を備える質量分析計を実現するには多くの課題が残されている。課題の１つは、サンプルのイオン化の効率を最大にし、また使用される分析物サンプルのダイナミックレンジを利用できるようにすることである。
【０００５】
問題は、質量スペクトルに識別可能な差を生成するさまざまなイオン化方法によって発生していた。例えば、液体クロマトグラフィー／質量分析法（ＬＣ／ＭＳ）の利用においてさまざまな溶液化学を導入することにより、質量分析計イオン源内に１つまたは複数のイオンが同時に存在できるため、質量スペクトルに顕著な差を発生させる。エレクトロスプレーの間、液は非常に高い電圧を印加された金属毛細管を通して導入される。この環境は、結果として得られるスプレーまたは噴射またはジェットが、スプレーが反対電極方向に吸引されるときに、液がレイリーリミットを超える結果であるために、電気化学的電池を生成する。また、エレクトロスプレーの間の酸化還元作用が質量スペクトルに金属イオンＭ＋Ｎａの実例のような識別可能な差を生成する。既に実現されているイオン化には、いくつかの異なる方法がある。
【０００６】
イオン源はＡＰＣＩ、ＥＳＩ、サーモスプレーなどの方法を含む。一般に、ＡＰＣＩは液流を加熱し、エアロゾルを生成することでイオンを抽出する。ＡＰＣＩは前述のような実例を示さないが、ＡＰＣＩは対象の分析物に電荷を移動する媒体として溶剤を「用いる」ため、バックグラウンドイオン化を促進することは注目に値すべきである。例えば、ヒドロニウムイオンは、分析物がその中を移動してイオン化されるプラズマ中で生成され、液が酢酸アンモニウムを含む場合、Ｍ＋ＮＨ４のような例証生成物が生成される。ＥＳＩは、過剰電荷の生成物としてエアロゾルまたは噴射を生成する。また、サーモスプレーはＡＰＣＩに関連する。一般に、サーモスプレーは高電圧（ＨＶ）を用いないＡＰＣＩであり、ＡＰＣＩニードルを使用しない。（ＭＤＳ  Ｐａｒｍａ  ＡＳＭＳポスター、２０００を参照）。この方法においては、イオンは脱溶媒しないため、エアロゾル液滴を形成しない。
【０００７】
これらのイオン源の中でもエレクトロスプレーイオン源は最も優れたものである。エレクトロスプレーの基本的手法は以前から広く知られていたが、有機質量分析法に適合する最初の実用的イオン源設計は１９８４年に現われた（例えば、欧州特許出願公開第０１２３５５２号明細書参照）。この基本的エレクトロスプレーイオン源に対するさまざまな改良が提案されてきた。Ｂｒｕｉｎｓら（３４ｔｈ  Ａｎｎ．  Ｃｏｎｆｒ．  ｏｎ  Ｍａｓｓ  Ｓｐｅｃｔｒｏｍｅｔｒｙ  ａｎｄ  Ａｌｌｉｅｄ  Ｔｏｐｉｃｓ，  Ｃｉｎｃｉｎｎａｔｉ，  １９８６，  ｐｐ５８５−６）および（米国特許第４８６１９８８号明細書）は、圧縮空気式エレクトロスプレーイオン源を記載しており、この中では、基本的イオン源の毛細管の代わりに、不活性ガスを送り込まれる同軸噴霧器を用いて、エアロゾルの生成を容易にする。しかしながら、実際には、この方式のイオン源は多くの場合、質量分析計の光軸に対して一定角度、通常は約３０度で傾斜し、開口方向に向く毛細管を用いて作動する。米国特許第５０１５８４５号明細書は、０．１から１０トルの圧力で作動し、第１ノズルの下流側に配置された追加の加熱式脱溶媒段階を開示している。一方、米国特許第５，１０３，０９３号明細書、第４，９７７，３２０号明細書、およびＬｅｅ，  Ｈｅｎｉｏｎ，  Ｒａｐｉｄ  Ｃｏｍｍｕｎ．  ｉｎ  Ｍａｓｓ  Ｓｐｅｃｔｒｕｍ．  １９９２，  ｖｏｌ．  ６  ｐｐ．７２７−７３３およびその他では、加熱式注入毛細管の使用を記載している。さらに、米国特許第５，１７１，９９０号明細書では、質量分析計に入る高速イオンおよび中性分子の数を低減するための、移送毛細管およびノズルスキマー（ｎｏｚｚｌｅ−ｓｋｉｍｍｅｒ）システムの軸外配置を記載しており、また米国特許第５，３５２，８９２号では、質量分析計の真空システムに流入する液滴の量を最少にする液遮蔽配置を開示している。
【０００８】
高分子量サンプルについてのエレクトロスプレーイオン源の好結果の主たる要因は、他の大部分のイオン源と異なり、イオン化が大気圧でなされるためであることが判明している。さらに、イオン化合物および有極化合物はＥＳＩによりイオン化し、一方、中性化合物および弱有極化合物は一般にイオン化しない。この理由のために、ＡＰＣＩイオン源における勢いの再生が生じ、通常＜１０００Ｄａの高分子量の安定イオン特性の、熱的に不安定な種を生成することができる。そのようなイオン源は、一般的に、イオン化モード以外はエレクトロスプレーイオン源と同じである。
【０００９】
ＡＰＣＩは、コロナ放電により、イオン化の独自の方法を実現する（Ｙａｍａｓｈｉｔ  ＆  Ｆｅｎｎ，  Ｊ  Ｐｈｙｓ  Ｃｈｅｍ．，  １９８４  参照）。ＡＰＣＩはコロナピンを高電位に維持し、ＡＰＣＩが電子源、例えばベータ放射体、通常ニッケル箔またはコロナ放電を実現できるようにする（ＭｃＫｅｏｗｎ，  Ｓｉｅｇｅｌ，  Ａｍｅｒｉｃａｎ  Ｌａｂ．  Ｎｏｖ．  １９７５  ｐｐ．８２−９９、およびＨｏｒｎｉｎｇ，  Ｃａｒｒｏｌｌらの、Ａｄｖ．  ｉｎ  Ｍａｓｓ  Ｓｐｅｃｔｒｏｍ．  Ｂｉｏｃｈｅｍ．  Ｍｅｄｉｃｉｎｅ，  １９７６  ｖｏｌ．１  ｐｐ．１−１６；Ｃａｒｒｏｌ，  Ｄｚｉｄｉｃ  らの、Ａｎａｌ．  Ｃｈｅｍ．  １９７５  ｖｏｌ．４７（１４）ｐｐ．２３６９参照）。初期のイオン源においては、高圧イオン化領域は、分析計の光軸上に配置された微細孔を有するダイヤフラムによって、質量分析計を含む高真空領域から分離されていた。最近のＡＰＣＩイオン源は、ダイヤフラムの代わりにノズルスキマー分離器システムを組み込んで開発されている（例えば、Ｋａｍｂａｒａらの、Ｍａｓｓ  Ｓｐｅｃｔｒｏｓｃｏｐｙ（Ｊａｐａｎ）  １９７６  ｖｏｌ．２４（３）  ｐｐ．２２９−２３６および英国特許出願公開第２１８３９０２号明細書を参照）。
【００１０】
質量分析計と接続される大気圧イオン源、詳細には、エレクトロスプレーおよび大気圧化学イオン化は、化合物の分析に広く利用されるようになってきた。高真空でなく大気圧でサンプルをイオン化するイオン源の特に優れた点は、完全な状態の熱的に不安定な高分子量イオンを生成することである。
【００１１】
従来の試みは、デュアルＥＳＩ／ＡＰＣＩイオン源を生成することを述べてきた。詳細には、デュアルイオン源は切換ボックスに頼っている。これの修正形態により、ユーザは制御ボックスおよび２つの入力ＢＮＣ（Ｂａｙｏｎｅｔ  Ｎｅｉｌｌ  Ｃｏｎｃｅｌｍａｎ）コネクタを用いて、ＥＳＩおよびＡＰＣＩモードの電圧を手動でまたは自動で選択できる。デュアルＥＳＩ／ＡＰＣＩの操作は、イオン源電圧の調整を必要とする。ＥＳＩおよびＡＰＣＩモードの両方は、同時に機能する。イオン源の動作を制御する最も重要なパラメータは、ガスの温度および流量である（Ｓｅｉｇｅｌらの、Ｊ．  ＡＭ．  Ｓｏｃ．  Ｍａｓｓ  Ｓｐｅｃｔｒｏｍ．  １９９８，  １１９６−１２０３を参照）。
【発明の開示】
【発明が解決しようとする課題】
【００１２】
本発明、少なくとも発明の一部は、固体（ｓｏｌｉｄ−ｓｔａｔｅ）スイッチが電源からの電圧をエレクトロスプレープローブまたはコロナ放電ニードルのどちらかに導いて、マルチモードイオン源を生成できることを見出したことに基づいている。マルチモードイオン源は従来のイオン源および手法に比べて大きな利点を提供する。マルチモードイオン源は、結果を低下させることなく、および装置を変更する必要もなく、第１イオン化モードから第２イオン化モードに自動的に高速切換えできる。高速切換は固体切換装置を利用して実現される。さらに、イオン源の設計により、イオン化を達成するのに霧状ガスの温度を上げる必要がなくなり、イオン源は温度上昇を待つことなく、手法間を高速で切換えできる。マルチモードイオン源は、１回の動作の間、サンプルに適用される最適手法および条件を考慮に入れる。したがって、マルチモードイオン源は、効率を向上させると同時に、コストおよび時間の大幅な節減を可能にする。
【課題を解決するための手段】
【００１３】
１つの実施形態においては、質量分析計のイオン源はイオン経路を画定するイオンチャンバと、サンプルをイオン化するエレクトロスプレープローブと、大気圧化学イオン化を用いてサンプルをイオン化するコロナ放電ニードルとを含む。本発明は、電源を用いて、電源からの電圧を導くための固体スイッチにより作動される、エレクトロスプレープローブまたはコロナ放電ニードルに電圧を供給する。
【００１４】
さらに本発明により、サンプルをイオン化して質量分析計により分析する方法が開示される。この方法には、サンプルをプローブに導入し、第１イオン化モードを用いてサンプルをイオン化し、その後、第２イオン化モードに切り換えることを含む。１つの実施形態においては、サンプルのイオン化は１／１０秒（０．１秒）未満の継続時間を有する。さらに、切換えまたはインタスキャン遅延は、所望の速度または忠実度に応じて、高速度または低速度にできる。
【００１５】
また本発明により、マルチモードイオン源を用いて、サンプルをイオン化するシステムが開示される。この方法には、マルチモードイオン源に関する情報の取得、およびマルチモードイオン源に関する情報に基づくサンプルのイオン化などの、コンピュータ実行ステップを含むことができる。本発明の別の実施形態は、コンピュータを使用するマルチモードイオン源を用いてサンプルをイオン化するシステムである。さらに別の実施形態においては、マルチモードイオン源は複数のイオン化モードを使用し、また、マルチモードイオン源に関する情報を表示するためのインタフェースを有することができる。
【００１６】
また本発明により、コンピュータ読取り可能媒体が開示され、この媒体により、例えばユーザはサンプルをイオン化して、グラフィックユーザインタフェースに入力される情報に応答してマルチモードイオン源を作動する命令を利用して、複数の異なるイオン化モードを用いて、質量分析計により分析できる。
【００１７】
本発明から利益を得る実際の用途の例には、薬剤、有機中間体の高速で高精度なサンプル特性決定の実現、ならびに、複合化学特性および高速処理の生物学的スクリーニングから作成されるサンプルライブラリの作成を含む。
【発明を実施するための最良の形態】
【００１８】
本発明は、質量分析法による分析のためのサンプルをイオン化する、マルチモードイオン源を提供する。図１は本発明の実施形態を実現するのに適する質量分析計１０の概略図である。質量分析計１０は、大気圧または大気圧に近い圧力でイオンを生成し、かつそのイオンを真空囲い込み３０に送るためのマルチモードイオン源１００を備えており、イオンは加速されて、質量分析計内に集束する。次に質量分析計は、イオンの質量対電荷比に基づいてイオンを識別して検出する。イオン源は真空囲い込みに結合され、この囲い込みは四重極質量フィルタ３１およびイオンビーム電流を測定するためのイオン検出器３２を封入している。さらに、質量分析計のイオン源１００と入口開口３４の間に配置された静電六重極レンズ３５を備え、イオン源１００からのイオン透過の効率を上げる。これらの構成部品は従来部品であり、図１では概略だけを示す。質量フィルタおよび検出器の適正な動作に必要な他の従来の構成部品は、理解を容易にするために図では省略されている。質量分析計または分析器は、四重、質量磁気質量、ＴＯＦ（飛行時間）、フーリェ変換、または当業者に公知の他の適正なタイプの質量分析計などの、いくつかのタイプであってもよい。
【００１９】
マルチモードイオン源１００は、異なるイオン化手法を単一分析におけるサンプルに適用可能にする。マルチモードイオン源１００は、異なるモードのイオン化でイオンを発生する能力を結合して単一イオン源とし、装置を変更することなく、また帯電した液滴の生成を容易にするために用いる霧状ガスを外部加熱する必要もなく、２つまたはそれ以上のイオン化モードを高速切換えできる。別の１つの実施形態においては、マルチモードイオン化温度の範囲は６０から７０℃である。マルチモードイオン源１００はミリ秒オーダのモード間の遷移時間を有するが、正確な結果を提供する。これは、広範囲の速度および忠実度の相互領域の遅延条件の下において、高精度な結果を実現する利点を提供する。
【００２０】
図２Ａ、２Ｂおよび２Ｃは、本発明の１つの実施形態によるマルチモードイオン源を示す。実例のイオン源１００は組み合わされたＡＰＣＩ−ＥＳＩイオン源であり、イオン源はＡＰＣＩとＥＳＩスキャン（正および負モードの両方において）間を交互に切換えできる。当業者には、代替のイオン化モード、例えば光イオン化を追加して実装、あるいはＡＰＣＩまたはＥＳＩモードの代わりに実装できることは理解されるであろう。マルチモードイオン源は質量分析計と接続して機能し、連続して流れる液サンプルからイオンを生成する。マルチモードイオン源１００は、大気圧領域を画定するイオンチャンバを備える。このチャンバは、分子のエレクトロスプレーイオン化を実現するエレクトロスプレープローブ１１０と、鋭い先細の放電電極を形成するコロナ放電ニードル１２０とを収納し、分子の大気圧化学イオン化およびチャンバ１６０へのイオン入口１９を備える。チャンバ１６０はイオンを質量分析計に移送するイオン経路を画定する。イオン源１００は、電圧を発生し、その電圧をエレクトロスプレープローブ１１０、コロナ放電ニードル１２０またはその両方に供給する、電源１３０（図１に示す）に接続される。電源１３０は固体スイッチ１５０を含み、このスイッチにより、イオン源を異なるイオン化モードおよび極性間で容易に切り換えできる。マルチモードイオン源１００はさらに、帯電した液滴の生成を容易にする噴霧ガス供給部１７０（図１に示される）と、イオン化されるサンプルを提供するための液体クロマトグラフィカラムなどのサンプル源１８０とを備える。液体クロマトグラフシステムの流量によるサンプルの導入量の範囲は、１ｎＬから１０ｍＬ／分である。特定の実施形態においては、本発明は液体クロマトグラフシステムを含むことができ、この液体クロマトグラフシステムは、約５０ｕＬ／分から２ｍＬ／分の流量、好ましくは、約５０ｕＬ／分から約１０００ｕＬ／分の流量での流れ注入により、サンプルを導入する。
【００２１】
サンプル源をＥＳＩプローブ１１０に接続して、分析されるサンプルをＥＳＩプローブ１１０に送る、液入口ライン１８１が設けられる。イオン源はさらに、イオン化領域を加熱する複数のイオン源ブロックヒータ１８２と、プローブヒータ１８６とを備える。さらに、イオン源チャンバ１０１にイオン源排出口１８５が形成される。イオン源はさらに、エレクトロスプレープローブ１１０の出口端近くに形成される拡散バッフル１１５を備え、蒸発したサンプルの流れをプローブからイオンチャンバ入口１９に誘導する。
【００２２】
図２Ｂに示されるとおり、イオン経路を画定するチャンバ１６０は、入口チャンバ３と、排出口４と、入口チャンバ３および排出口４に接続する小直径の抽出チャンバ１５とを備える。排出口４は、約３０ｍ３／時間の能力の機械的真空ポンプなどの真空または他の適当な排出手段に通路６を通して接続される。真空は抽出チャンバ１５を１００ｍｍＨｇ未満、一般に１から１０ｍｍＨｇの圧力に維持する。入口チャンバ３への入口１９は入口円錐体９により形成され、この円錐体はその先端に形成される約０．４から約１．０ｍｍの直径の開口を有する。入口ポートは、イオンがイオン源チャンバ１０１からチャンバ１６０に通過するイオン入口を形成する。好ましくは、出口１１はくぼみ内に取り付けられ、チャンバ１６０の本体から電気的に絶縁された中空円錐形部材１２を備える。円錐形部材１２はそれの先端に開口を有し、この開口を通り、イオン化工程で生成されたイオンが抽出チャンバ１５から質量分析計に通過する。
【００２３】
チャンバ１６０は、参照により本明細書に引用したものとする、米国特許第５，７５６，９９４号に記載されたイオン源のイオン化経路と同様に構成できるが、本発明は説明したチャンバに限定されない。当業者には理解されるであろうが、イオンを質量分析計に移送するためのチャンバは、本発明の特許請求の範囲に述べるような脱アエロゾル溶媒効果を考慮に入れる、本発明の内容に従った任意の適正なサイズおよび構成を備えることができる。
【００２４】
ＥＳＩモードにおいては、以下に述べるように、スイッチ１５０は電源１３０をＥＳＩプローブに接続することにより、電源は高電圧をＥＳＩプローブ１１０に供給して、分子をイオン化する。ＡＰＣＩモードにおいては、以下に詳細に述べるように、スイッチ１５０は電源１３０をコロナ放電ニードルに接続することにより、電源は高電圧をコロナ放電ニードル１２０に供給して、分子をイオン化する。ＭａｓｓＬｙｎｘ（商標）システムなどのデータシステムは、異なるモードおよび極性間の自動切換えを可能にする。データシステムからの制御信号はさらに、動作方式およびパラメータを選択および制御する。
【００２５】
エレクトロスプレーイオン源は、高電界中で高度に帯電した液滴の微細噴霧液を生成することにより、溶液から直接イオンを発生させる。図３に詳細を示すエレクトロスプレープローブアセンブリ１１０は、出口端にノズル形成する、導電性毛細管１１１を備える。毛細管１１１はチャンバ１６０の入口１９に近接し、それの外側に配置される。ＥＳＩモードの間、電源１３０が毛細管１１１に電圧を印加することにより、毛細管１１１はスイッチによって、チャンバ１６０に対して約３．５ｋＶの電位に維持される。イオン化されるサンプルを含む溶液は、イオン源１８０から毛細管１１１を通り、大気圧バスガス（ｂａｔｈ  ｇａｓｓ）にポンプで送られ、チャンバ１６０の入口１９近くに、エアロゾルを発生させる。液滴のサイズが減少すると共に、液滴表面の電荷密度が増加する。この表面上の同一極性電荷間の相互反発力が極めて大きくなって、表面張力を超えると、イオンは「テーラーコーン（Ｔａｙｌｏｒ  ｃｏｎｅ）」として公知の液滴から離れ始める。詳細には、電磁流体力学理論上の効力により、液滴は、半径が１０μの点で蒸発し、遊離する。残りの液滴はさらに脱溶媒され、ＡＰＣＩを続行可能にする。次に、イオンは静電気で誘導されてチャンバ１６０を通過し、質量分析計に入る。エレクトロスプレープローブアセンブリ１１０は、スイッチ１５０を介して毛細管１１１に印加される電圧を反転することにより、正および負イオンを生成できる。
【００２６】
窒素などの霧状ガスの供給は、噴霧ガス源（図１の１７０）から、毛細管１１１を噴霧チャネルに接続するＴコネクタ１１８まで、噴霧チャネル１７１を経由して供給される。噴霧ガスは管から出て、毛細管１１１から出る液サンプルの分解およびガス相イオン種の生成、溶液の静電的霧状化をさらに容易にする。本発明によれば、霧状ガスは周囲温度で噴出され、イオン化を達成するために加熱する必要はない。
【００２７】
エレクトロスプレープローブアセンブリはチャンバ１６０の入口１９近くに固定されることにより、結果として得られるイオンは入口１９を通過して、チャンバ１６０を通り、質量分析計に入る。
【００２８】
ＡＰＣＩモードにおいては、イオン化はコロナ放電またはプラズマにより発生し、サンプル蒸気から反応イオンを生成する。ＡＰＣＩモードにおいては、スイッチ１５０はコロナ放電ニードル１２０を作動させ、イオン源チャンバ／囲い込みおよびＥＳＩプローブのガスおよび熱力学の結果として液滴は脱溶媒され、その結果、周囲温度においてガス相分子を生成する。電源はコロナ放電ニードル１２０とチャンバ１６０の間でコロナ放電を発生させ、イオン化を実現する。プローブ１１０からの蒸発したサンプル分子はコロナ放電して、溶剤蒸気から反応イオンを生成し、このイオンはチャンバ１６０を通り、質量分析計に移送される。
【００２９】
図４は本発明の１つの実施形態によるスイッチ１５０の概略図であり、このスイッチによりイオン化モード間を高速切換えできる。スイッチ１５０は、電界効果トランジスタ（ＦＥＴ）スイッチなどの固体スイッチを備えることにより、電子部品を損傷することなく、また可動部品を一切使用せずに、ＥＳＩプローブおよびコロナ放電ニードルへの電流および電圧を調整する。電源１３０は、コロナ放電部に一定電流を選択的に供給する定電流供給源１３０ａと、毛細管１１１に定電圧を選択的に供給する定電圧供給源１３０ｂとを含む。第１スイッチ１５０ａは定電流供給源１３０ａをコロナ放電部に選択的に接続し、第２スイッチ１５０ｂは定電圧供給源１３０ｂを毛細管１１１に選択的に接続する。Ｖ／Ｉビット信号は、スイッチに電圧または電流を選択的に印加することにより、イオン化モードを制御および変更する。スキャン進行（ｓｃａｎ−ｉｎ−ｐｒｏｇｒｅｓｓ）ビット信号は、正および負電圧の切換えを実行し、正および負イオンを生成することを可能にする。スイッチ１５０は、１秒未満、好ましくは、約１００ミリ秒以下でイオン化モードを切り換えできる。
【００３０】
さらに別の実施形態においては、本発明のマルチモードイオン源を用いてサンプルをイオン化する工程は、ＭａｓｓＬｙｎｘ（商標）システムまたは他の適正なソフトウェアシステムにより自動的に制御される。図５および６はグラフィックユーザインタフェース（ＧＵＩ）４００および５００を示しており、このインタフェースはそれぞれ、本発明の実施形態によるイオン化工程および分析を制御するのに適する。ユーザは選択したパラメータをＧＵＩに入力し、メモリに格納されたプログラムを実行して、イオン化工程を制御する。ソフトウェアにより、オペレータはレンズおよび他の活動表面（温度およびガス）を観察して最適化し、他の分析物の存在およびサンプル中の化学物質の存在状態においてＥＳＩおよびＡＰＣＩの両方を最適化できる。図５を参照すると、ユーザはインタフェース４００内のスキャン方法に対して、モードなどの選択したパラメータ、例えば、正エレクトロスプレー、負エレクトロスプレー、正ＡＰＣＩおよび負ＡＰＣＩ、継続稼動時間および全体稼動時間を入力できる。システムはスイッチおよび他の素子を自動制御し、選択されたパラメータに従って作動する。図６を参照すると、別のインタフェース５００を用いて、ＡＰＣＩおよびＥＳＩの両方についての動作パラメータを個々に最適化できる。例えば、第１フィールド５０１内に、ユーザは、ＥＳＩモードに対する毛細管１１１および中空円錐部材１２に関する最適電圧を、それぞれキロボルトおよびボルトで入力できる。第２フィールド５０２内に、ユーザは、コロナ１２０に対する最適電流および中空円錐部材１２に対する最適電圧を入力できる。フィールド５０３内に、ユーザは、抽出器および無線周波数（ＲＦ）レンズに対する最適電圧を入力できる。第４フィールド５０４内に、ユーザは、イオン源に対する最適温度および最適脱溶媒温度を入力できる。フィールド５０６内に、ユーザは、脱溶媒および中空円錐部材１２に対するガス流量を、１時間当たりのリットル単位で入力できる。分析の間、システムは各モードに対してユーザにより選択されたパラメータで自動的に作動する。フィールド５０７内に、インタフェースは分析結果を表示する。
【００３１】
１つの好ましい実施形態においては、イオン源囲い込みの大きさは容積で５３インチであり、現在形状および外形は動力学的に有利である。（図２Ａから２Ｃを参照）。また、本発明のイオン源囲い込みは約６０から７５℃の低温度で、約６０から７０℃、例えば６０から７０℃を含むサンプルのイオン化を実現する。さらに、本発明の１つの好ましい実施形態においては、イオン源は金属で製作、さらに好ましくはアルミニウムで製作される。
【００３２】
マルチモードイオン源は従来のイオン源およびイオン化手法に比べて大きな利点を提供する。マルチモードイオン源は、結果を損なうことなく、かつ装置の変更を必要とせずに、第１イオン化モードから第２イオン化モードに自動的に高速切換えできる。高速切換は固体切換デバイスを利用して実現される。さらに、マルチモードイオン化は、クロマトグラフのピーク変化などの短時間の一定事象の間に、有効なデータを得る唯一の機会を可能にする。さらに、イオン化を達成するのに霧状ガスの温度を上げる必要がなくなり、イオン源は温度上昇を待つことなく、イオン化モード間を高速で切換えできる。マルチモードイオン源は、１回の動作の間、サンプルに適用される最適手法および条件を考慮に入れる。したがって、マルチモードイオン源は、効率を向上させると同時に、コストおよび時間の大幅な節減を可能にする。
【実施例１】
【００３３】
ＥＳＩおよびＡＰＣＩの両方でイオン化される多くの化合物があるが、これら化合物は同等な好結果でイオン化されない。さらに、化合物によっては、ＥＳＩにより全くイオン化されない。本発明はこのような特性の化合物をイオン化する解決策を提供する。
【００３４】
例えば、ＥＳＣｉ（商標）イオン源を用いるＺＱ（商標）質量分析計では、多環式芳香族炭化水素（ＰＡＨ）の良好な結果を得た。ナフタレンなどのＰＡＨは、プロトンが結合してＭ＋Ｈを形成する機会がないため、ＥＳＩによりイオン化されない。図７は、フルモードおよび極性切換え、−１５０から１０００ａｍｕ（２８００ａｍｕ／Ｓ）−０．１ＳＩＳＤにおけるイオン化されたジフェンヒドラミンおよびナフタレンの結果を示す。ＥＳＣｉの結果は、ＥＳＩによりイオン化できない化合物の結果を明らかに取得している。ＥＳＣｉは、代替のＥＳＩ−、ＥＳＩ＋、ＡＰＣＩ−およびＡＰＣＩ＋モード対して従来の方法による選択を可能にするか、またはモードのいずれか１つにおいて、常時作動することを要求する。
【実施例２】
【００３５】
さらに、５０ｎｇのダイゼインイソフラボノイドを使用カラムに試した結果は、本発明の能力および多様性を示した。この例は、４つのモードすべての結果の精度および忠実度を示した。エレクトロスプレーの間にサンプルの予備加熱を実行することが通常であるが、この例では、ＥＳＣｉは過度の加熱を導入した状態で、例外的に良好に進行していることを示す。実際には、この例では、加熱設定は通常のＥＳＩ動作と同一であった。ＥＳＩ脱溶媒温度は、標準ＭＳ構成で必要とされる４００から６００℃の範囲と異なり、約１２０℃であった。図８は、５０ｎｇのイソフラボノイドダイゼインによる良好な結果を示しており、極めて高いｓ／ｎが得られた。
【実施例３】
【００３６】
この実施例は、新規のＥＳＣｉ手法を、ＧＳＫ（ＲＴＰ）オープンアクセスなどの現在の動作システムに容易に適合できることを示した。ここでは、出力は有効なＭａｓｓＬｙｎｘ（商標）データファイルであり、このファイルにより、ＥＳＣｉ手法を透過的にオープンアクセスおよび高処理能力環境に追加できた。従来は、これらの環境は単一モードまたは異なる装置を用いる別の方法で動作する必要があった。これによりデータおよび結果の収集ならびに両方のモードを比較する重要な能力を可能にした（図９を参照）。
【実施例４】
【００３７】
本発明の最も重要な用途はさまざまな結果を用いて、正確なサンプルライブラリを作成できることである。この実施例では、１年間で、７０％より大きい純度レベルを保証する、５００，０００の化合物の特性決定を試みた。この結果を用いて、正および／または負の質量スペクトルの結果から決定される正しい分子量を表示する。
【００３８】
実験の詳細は短いＬＣ勾配上で実施した。３分実行時間では、一般の２分勾配（０．０５％ギ酸／ＭｅＣＮ）であった。流量は１ｕｌの注入容積で０．７ｍｌ／分であった。化合物はＵＶの２２５から３２０ｎｍで検出し、質量スペクトルは１５０から８００ａｍｕで実施した。スキャンは０．２秒ＩＳＤ（インタスキャン遅延）を用いて０．２秒（３２５０ａｍｕ／秒）で実施した。
【００３９】
この実施例はさらに、小流量では、実行するＥＳＣｉに必要な高温加熱が無いために、実際には収集時間は長くなる。したがって、ＺＱに組み込まれたＰＣの高速収集能力により、クロマトグラフピークまたはバンドの短い通過の間に、本発明の以前には普通であった速度よりはるかに高速でスキャンすることにより、さらに多くの機能を実行できる。
【００４０】
ここでの実施例は、１５０から５００ａｍｕの分子量の範囲の各種の化合物を含む、９６ウェルのテストプレートを用いて実施した。これら化合物は３つの状態、すなわち（ａ）従来のＥＳＩイオン源単独、（２）従来のＡＰＣＩイオン源単独、および（３）ＥＳＣｉ（商標）を用いる再分析手法により分析した。
【００４１】
この結果は、他の従来方法での分析に比較して、ＥＳＣｉ方法によるサンプルライブラリの結果の利点および改良を示した。図１０から１３においては、従来のＥＳＩおよびＡＰＣＩ単独と比較して、本発明は高品質、高速および高精度のサンプルライブラリを生成した。スペクトルは各種モード全体にわたりすぐれた一致を示しているのは明らかであった。さらに、この実験では特定条件における感度が、ＡＰＣＩ実験よりＥＳＣｉで改良されたことを示した。この実験は、さらに適正な感度および優れた実用性を達成するのに向けられた。図１３は、ＥＳＣｉ  ＴＩＣ比較がこれらの動作条件の下で同様の応答を示すことを表す。
【００４２】
図１４は全スペクトルに対する、ＥＳＩ対ＡＰＣＩ対ＥＳＣｉのデータ結果を示す。このデータは、ＡＰＣＩおよびＥＳＩの結果をＥＳＣｉで得られた結果と比較することにより、ＥＳＣｉ方法によるデータ収集の好結果および高精度を明瞭に示す。
【実施例５】
【００４３】
本発明の別の利点は、単一注入が複数データポイントを取得することである。図１５に示すように、クロマトグラムはＰＤＡにおける目的物および不純物のトレースを表していた。ＥＳＩ−およびＡＰＣＩ−は応答できなかったが、興味深いことに、ＡＰＣＩ＋トレースが目的物および不純物を示し、一方、ＥＳＩ＋トレースは、ほとんどの実験室では１つだけのトレースが多い不純物だけを示した。この実験は正確な化合物結果を収集する、有利な能力を示した。
【実施例６】
【００４４】
この方法を用いる実験を実施し、光イオン化検出器（ＡＰＰＩ）などの他の方式のイオン化を含むように、ＥＳＩおよびＡＰＣＩ以外のイオン化モード能力を拡張した。ＡＰＰＩは弱有極または中性分析物、モノマー、炭化水素または有機ヘテロ原子種、および容易に「噴霧」されない他の化合物のイオン化を促進する。この装置は、ガスクロマトグラフィ（ＧＣ）カラムから出る分析物をイオン化する手段として紫外線を用いた。電極により、この工程で生成されるイオンを捕集した。したがって、発生電流は分析物濃度の評価基準となる。
【実施例７】
【００４５】
ＥＳＣｉ（商標）マルチモードイオン化の別の利点は、ポリマー添加剤の比較により表わされる。図１６に示すように、１００ｍＳ  ＩＳＤにおけるＡＰＣＩとＥＳＩとの切換えは、感度損失を示さない。データポイントは、４．６ｍｍ  ＩＤカラムを用いる１ｍＬ／分におけるＡＰＣＩと、２．１ｍｍ  ＩＤカラムを用いる０．２５ｍＬ／分におけるＥＳＣｉ（商標）の間に示されており、および１００ｍＳ  ＩＳＤにおけるＥＳＣｉ（商標）  ＡＰＣＩ切換えは、目的化合物が感度のフロス（ｆｌｏｓｓ）を示さずに検出できることを表していた。この実験は、高速かつ高忠実度で正確な化合物結果を収集する有利な能力を示した。（図１６参照）。
【００４６】
要約すると、本発明の利点は、ＥＳＣｉ装置が既存の質量分析計を利用したことである。装置の放電機構および電源の追加は、実験結果において優秀性を証明した。ＥＳＣｉイオン源は、極性およびイオン化切換えに対しては１００ｍＳのインタスキャン遅延で実施した。これらの実験条件下では、ＥＳＩおよびＡＰＣＩの両方についての性能損失は発生しない。本発明は分析時間を短縮し、またオープンアクセス測定器に組み込まれた。
【００４７】
（等価物）
当業者には、日常的な実験を用いることなく、本明細書に述べる本発明の特的実施形態に対する多くの等価物を認識または確認できるであろう。このような等価物は添付の特許請求の範囲に包含されるものとする。
【００４８】
ここで引用したすべての参照、特許、および特許出願の全内容は、参照により本明細書に引用したものとする。
【図面の簡単な説明】
【００４９】
【図１】本発明の実施形態を実現するのに適する質量分析計の概略図である。
【図２Ａ】本発明の実施形態によるマルチモードイオン源を示す図である。
【図２Ｂ】イオン経路を画定するチャンバを示す図である。
【図２Ｃ】本発明の実施形態によるマルチモードイオン源を示す図である。
【図３】エレクトロスプレーイオン化プローブを示す図である。
【図４】毛細管／コロナピンＨＶ出力の切換えの概略図であり、電源はＦＥＴスイッチを利用し、固体切換えが再現性よく、電子回路に損傷を与えずに可能になるように設計されていることを示す図である。
【図５】本発明の１つの実施形態による、イオン化工程を制御し、分析するのに適するグラフィックユーザインタフェースを示す図である。
【図６】本発明の１つの実施形態による、イオン化工程を制御し、分析するのに適するグラフィックユーザインタフェースを示す図である。
【図７】ＡＰＣＩとＥＳＩ性能との間で差がある多環式芳香族炭化水素（ＰＡＨ）のエレクトロスプレー質量分析計スペクトルの結果を示す図である。
【図８】１００μ／ｓでの４つのモードにおいて高ｓ／ｎを発生する、５０ｎｇのイソフラボノイドダイゼインの単一注入により示される応答結果を示す図である。
【図９】マルチモードにおけるデータの同時収集を示すＭａｓｓＬｙｎｘ（商標）データの出力の収集を示す図である。
【図１０】本発明が、従来のＥＳＩおよびＡＰＣＩ単独に比べて高品質、高速および高精度のサンプルライブラリを生成することを示す図である。
【図１１】本発明が、従来のＥＳＩおよびＡＰＣＩ単独に比べて高品質、高速および高精度のサンプルライブラリを生成することを示す図である。
【図１２】本発明が、従来のＥＳＩおよびＡＰＣＩ単独に比べて高品質、高速および高精度のサンプルライブラリを生成することを示す図である。
【図１３】本発明が、従来のＥＳＩおよびＡＰＣＩ単独に比べて高品質、高速および高精度のサンプルライブラリを生成することを示す図である。
【図１４】ＡＰＣＩおよびＥＳＩについての全スペクトルに対し、ＥＳＩ対ＡＰＣＩ対ＥＳＣｉを比較するために実行されたマルチモードからのデータが、ＥＳＣｉで得られたデータと一致することを示す図である。
【図１５】結果に表れたターゲット化合物および不純物を示す全モードの比較を示し、単一イオン源のイオン化モードにおける本発明の利点を示す図である。
【図１６】（１）Ｔｉｎｕｖｉｎ  ３２７、（２）Ｉｒｇａｎｏｘ  １０１０、（３）Ｉｒｇａｎｏｘ  １３３０の３つの混合ポリマー添加剤についての、ＡＰＣＩ対ＥＳＣｉ（商標）対ＥＳＣｉＡＰＣＩを比較したデータを示す図である。
【図１】
2005528746.tif 000003
【図２Ａ】
2005528746.tif 000004
【図２Ｂ】
2005528746.tif 000005
【図２Ｃ】
2005528746.tif 000006
【図３】
2005528746.tif 000007
【図４】
2005528746.tif 000008
【図５】
2005528746.tif 000009
【図６】
2005528746.tif 000010
【図７】
2005528746.tif 000011
【図８】
2005528746.tif 000012
【図９】
2005528746.tif 000013
【図１０】
2005528746.tif 000014
【図１１】
2005528746.tif 000015
【図１２】
2005528746.tif 000016
【図１３】
2005528746.tif 000017
【図１４】
2005528746.tif 000018
【図１５】
2005528746.tif 000019
【図１６】
2005528746.tif 000020
【国際調査報告】
2005528746.tif 000021